(57)【要約】【課題】  デジタルカメラにおいて、専用のリモコン操作機を用いることなく、リモコン操作により確実に撮影制御動作を開始させる。【解決手段】  メニューからフラッシュリモコンモードを選択する。フラッシュリモコンモードでは、繰り返し測光している画像から、少なくとも一部分における短時間の高輝度側への輝度変化を認識すると、撮影制御動作を開始する。撮影制御動作では高輝度側への輝度変化が観測された位置またはその付近にＡＦ及びＡＥを合わせ、予め設定したタイミングで撮影を行う。【選択図】  図２
2006324757.tif 000002
【特許請求の範囲】
【請求項１】
光を電気信号に変換する光電変換部と、前記光電変換部により得られた電気信号を信号処理する信号処理部を含む撮像装置を備えたデジタルカメラにおいて、前記撮像装置によって、撮影画面内の少なくとも一部分の短時間の高輝度側への輝度変化を認識すると撮影制御動作を行うフラッシュリモコンモードが選択可能であって、前記フラッシュリモコンモードは、撮影モード時にメニュー表示指示手段により表示されるメニューの中から選択して設定することを特徴とするデジタルカメラ。
【請求項２】
画像表示装置を備え、再生モードが選択可能であって、前記フラッシュリモコンモードは、再生モード選択手段により解除されることを特徴とする請求項１に記載のデジタルカメラ。
【請求項３】
撮影モードにおいて撮影準備動作を指示するＳＷ１を備え、前記フラッシュリモコンモードは、ＳＷ１押下により解除されることを特徴とする請求項１に記載のデジタルカメラ。
【請求項４】
撮影モードにおいて撮影動作を指示するＳＷ２を備え、前記フラッシュリモコンモードは、ＳＷ２押下により解除されることを特徴とする請求項１に記載のデジタルカメラ。
【請求項５】
光を電気信号に変換する光電変換部と、前記光電変換部により得られた電気信号を信号処理する信号処理部を含む撮像装置を備えたデジタルカメラにおいて、前記撮像装置によって、撮影画面内の少なくとも一部分の、短時間の高輝度側への輝度変化を認識すると撮影制御動作を行うフラッシュリモコンモードが選択可能であって、前記フラッシュリモコンモードにおける撮影動作では、撮影画面内の、前記輝度変化が認められた部分またはその付近にオートフォーカスを合わせて撮影することを特徴とするデジタルカメラ。
【請求項６】
光を電気信号に変換する光電変換部と、前記光電変換部により得られた電気信号を信号処理する信号処理部を含む撮像装置を備えたデジタルカメラにおいて、前記撮像装置によって、撮影画面内の少なくとも一部分の、短時間の高輝度側への輝度変化を認識すると撮影制御動作を行うフラッシュリモコンモードが選択可能であって、前記フラッシュリモコンモードにおける撮影動作では、撮影画面内の、前記輝度変化が認められた部分周辺の重み付けを大きくして自動露出設定を行って撮影することを特徴とするデジタルカメラ。
【請求項７】
メニュー表示指示手段により表示されるメニューの中で、前記フラッシュリモコンモードのタイミング設定が可能であり、前記フラッシュリモコンモードにおける撮影は前記タイミング設定に基づいた時間の後に行われることを特徴とする請求項１、請求項５、請求項６に記載のデジタルカメラ。
【請求項８】
情報表示装置を備えており、前記フラッシュリモコンモード中は、フラッシュリモコンモードであることを示す記号を前記情報表示装置に表示することを特徴とする請求項１、請求項５、請求項６に記載のデジタルカメラ。
【請求項９】
発光部材を備えており、前記フラッシュリモコンモード時に前記短時間の高輝度側への輝度変化を認識して撮影制御動作を開始すると、前記発光部材を発光または点滅させることを特徴とする請求項１、請求項５、請求項６に記載のデジタルカメラ。
【発明の詳細な説明】
【技術分野】
【０００１】
本発明は、デジタルカメラの遠隔操作の構成に関する。
【背景技術】
【０００２】
過去に、専用の遠隔制御装置の送信機の代わりに別のカメラのストロボを用いて撮影動作を起動するカメラは提案されている（特許文献１）。特許文献１では、応答速度の速い測光手段を持つカメラにおける本特許のフラッシュリモコンモードに相当するストロボレリーズモードにおいて、前記測光手段で繰り返し測光された当該測光値が定常光によるものか他のストロボから発せられたストロボ光によるものかを判別する外光判定手段を有し、ストロボ光と判定するとシャッタレリーズを実行するとしている。
【０００３】
特許文献２では、被写体の特定部の色と形の少なくとも一方に基づいて撮影制御動作を行うカメラを提案している。また、被写体の振り返り動作などを想定して、被写体輝度の所定の変化を認識することによって撮影制御動作を行うことも提案している。
【０００４】
他に特許文献３などでは、音声トリガ撮影により本提案と同様の課題に対処する提案がなされている。
【特許文献１】特開平５−６１１０９号公報（第１頁、図３）
【特許文献２】特開２００３−１１６０５０号公報（第２頁、図９）
【特許文献３】特開２００２−３５４３３５号公報（第２頁、図１３）
【発明の開示】
【発明が解決しようとする課題】
【０００５】
集まった仲間全員の集合写真を撮影する際に、周囲にシャッターを押してくれるよう頼める人がいない場合などは、セルフタイマー機能を利用することが多い。しかしセルフタイマー機能を用いる場合、セルフタイマーの設定者は、セルフタイマーを設定してから数秒の間にカメラの前面に移動し、自分の立ち位置に入り、ポーズをとらなければならない。限られた時間内に移動することは焦りを生み、転倒などの予期せぬ事故が起こることもある。また撮影されるだけの人はその間ただ待っていなければならず、場合によっては飽きて余所見をはじめる人が出てくることもあり、撮影のタイミングがわからず変な表情で写ってしまう人もいる。加えて、撮影の瞬間に目をつぶってしまうなど普通の失敗もあり、セルフタイマーで失敗写真を撮影してしまう確率は通常撮影に比べて高い。しかし撮り直しするにしても再度セルフタイマーの設定からやり直さねばならず、作業は面倒臭く、撮影されるだけの人の飽きもピークに達する。さらに言うならば、セルフタイマーを設定する人は、これほどの労を厭わない働きにも関わらず、集合写真では端の方で中途半端なポーズで写っている場合が多々見られる。リモコン撮影が可能であれば、全員のポーズを決めてから撮影指示ができ、もう一枚撮りたいなどという場合にもすぐに取り直すことができるため、前記のセルフタイマー利用の場合に比べてストレスの軽減ができると考えられる。
【０００６】
リモコン付きデジタルカメラは従来から存在する。しかしデジタルカメラの付属品としてのリモコンは昨今のデジタルカメラの小型化の流れに沿うものではなく、紛失の恐れがあるのみならずコスト上昇も招く。そもそも一般ユーザーの大半にとって、デジタルカメラのリモコンは必要なものではなく、時としてあると便利と感じることがある程度であると思われる。
【０００７】
そこで専用のリモコン装置を用いない手段が考えられる。そのような手段の一つとして、他のカメラのフラッシュ光をトリガとして撮影を行うのが特許文献１の提案である。しかし、特許文献１では、１〜３ｍｓｅｃのストロボ光を識別するために応答速度の速い測光手段をカメラに備えることを前提としており、コスト上昇は免れない。
【０００８】
別の手段として、被写体の特定部の色と形の変化、即ち、被写体の特定のポーズや動作によって撮影制御動作を開始するトリガとしようとするものである。しかし被写体の特定部分をトリガとする場合、被写体距離や構図の任意性に対応するためには画像認識の複雑なアルゴリズムが必要であり、誤動作の確率も高くなってしまうことが予想される。
【０００９】
一方特許文献３などでは音声トリガによる撮影が提案されているが、被写体としてカメラからやや離れた位置にいる撮影者が音声トリガを発動可能な大きな音を立てることは、場所によっては他人に迷惑が及ぶ可能性があり、撮影者の性格によっては羞恥を感じる場合もある。
【００１０】
市場ニーズが大きいとは言い難いリモコン機能をデジタルカメラに持たせるためには、もともとデジタルカメラに具備している装置のみで、専用のリモコン装置を用いないリモコン機能を構成することが望ましい。
【課題を解決するための手段】
【００１１】
本出願に係る発明の第一の構成は、光を電気信号に変換する光電変換部と、前記光電変換部により得られた電気信号を信号処理する信号処理部を含む撮像装置を備えたデジタルカメラにおいて、前記撮像装置によって、撮影画面内の少なくとも一部分の短時間の高輝度側への輝度変化を認識すると撮影制御動作を行うフラッシュリモコンモードが選択可能であって、前記フラッシュリモコンモードは、撮影モード時にメニュー表示指示手段により表示されるメニューの中から選択して設定することを特徴とするものである。（請求項１）
本出願に係る発明の第二の構成は、画像表示装置を備え、再生モードが選択可能な前記第一の構成のデジタルカメラにおいて、前記フラッシュリモコンモードは、再生モード選択手段により解除されることを特徴とするものである。（請求項２）
本出願に係る発明の第三の構成は、撮影モードにおいて撮影準備動作を指示するＳＷ１を備えた前記第一の構成のデジタルカメラにおいて、前記フラッシュリモコンモードは、ＳＷ１押下により解除されることを特徴とするものである。（請求項３）
本出願に係る発明の第四の構成は、撮影モードにおいて撮影動作を指示するＳＷ２を備えた前記第一の構成のデジタルカメラにおいて、前記フラッシュリモコンモードは、ＳＷ２押下により解除されることを特徴とするものである。（請求項４）
本出願に係る発明の第五の構成は、光を電気信号に変換する光電変換部と、前記光電変換部により得られた電気信号を信号処理する信号処理部を含む撮像装置を備えたデジタルカメラにおいて、前記撮像装置によって、撮影画面内の少なくとも一部分の、短時間の高輝度側への輝度変化を認識すると撮影制御動作を行うフラッシュリモコンモードが選択可能であって、前記フラッシュリモコンモードにおける撮影動作では、撮影画面内の、前記輝度変化が認められた部分またはその付近にオートフォーカスを合わせて撮影することを特徴とするものである。（請求項５）
本出願に係る発明の第六の構成は、光を電気信号に変換する光電変換部と、前記光電変換部により得られた電気信号を信号処理する信号処理部を含む撮像装置を備えたデジタルカメラにおいて、前記撮像装置によって、撮影画面内の少なくとも一部分の、短時間の高輝度側への輝度変化を認識すると撮影制御動作を行うフラッシュリモコンモードが選択可能であって、前記フラッシュリモコンモードにおける撮影動作では、撮影画面内の、前記輝度変化が認められた部分周辺の重み付けを大きくして自動露出設定を行って撮影することを特徴とするものである。（請求項６）
本出願に係る発明の第七の構成は、メニュー表示指示手段により表示されるメニューの中で、前記フラッシュリモコンモードのタイミング設定が可能である前記第一、第五、第六の構成のデジタルカメラにおいて、前記フラッシュリモコンモードにおける撮影動作は前記タイミング設定に基づいた時間の後に行われることを特徴とするものである。（請求項７）
本出願に係る発明の第八の構成は、情報表示装置を備えた前記第一、第五、第六の構成のデジタルカメラにおいて、前記フラッシュリモコンモード中は、フラッシュリモコンモードであることを示す記号を前記情報表示装置に表示することを特徴とするものである。（請求項８）
本出願に係る発明の第九の構成は、発光部材を備えた前記第一、第五、第六の構成のデジタルカメラにおいて、前記フラッシュリモコンモード時に前記短時間の高輝度側への輝度変化を認識して撮影制御動作を開始すると、前記発光部材を発光または点滅させることを特徴とするものである。
【発明の効果】
【００１２】
昨今のデジタルカメラの普及は著しく、数人集まれば複数人が内蔵ストロボ付きのデジタルカメラを持っているということはよくある。そのような場面を鑑み、本発明に拠れば、全員の集合写真を撮影する際に、別のカメラのストロボ光を発光させることにより、任意のタイミングで撮影することが可能となり、取り直しも容易に行うことができる。また請求項第五、第六に記載の手法に拠れば、ストロボ光を発光させた人の位置即ち集合写真の主被写体の代表位置が特定され、その周辺にＡＥ、ＡＦが合わせられる効果がある。さらに請求項第七に記載の手法に拠れば、ストロボ光を発光させた後１、２秒のタイミングで撮影されるように設定しておき、その間にストロボ光を発光させたカメラを隠すことで不要なカメラの写りこみを回避することが可能である。本発明は、設定から解除まで全て従来のデジタルカメラ構成の範疇で搭載可能であり、デジタルカメラのコストアップを招かない。
【発明を実施するための最良の形態】
【００１３】
（実施例１）
図１は、本発明の実施形態に係る画像処理装置の概略構成を示すブロック図である。図１において、１００はデジタルカメラである。１０は撮影レンズ、１２は絞り、１３はシャッター、１４は光学像を電気信号に変換する撮像素子、１２０は撮像素子１４のアナログ信号出力を増幅してカメラの感度を設定するゲインアンプ、１６は撮像素子１４のアナログ信号出力をディジタル信号に変換するＡ／Ｄ変換器である。
【００１４】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。２０は画像処理回路であり、Ａ／Ｄ変換器１６からのデータ或いはメモリ制御回路２２からのデータに対して所定の画素補間処理や色変換処理を行う。また、撮像した画像データを用いて所定の演算処理を行ない、得られた演算結果に基づいてシステム制御回路５０が露光制御手段４０、測距制御手段４２に対して制御を行なう、ＴＴＬ（スルー・ザ・レンズ）方式のＡＦ（オートフォーカス）処理、ＡＥ（自動露出）処理、ＥＦ（フラッシュ発光）処理を行っている。
【００１５】
さらに、画像処理回路２０においては、撮像した画像データを用いて所定の演算処理を行ない、得られた演算結果に基づいてＴＴＬ方式のＡＷＢ（オートホワイトバランス）処理も行っている。
【００１６】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１７】
システム制御回路５０は露出制御手段１２２、輝度レベル演算手段１２３、補正ゲイン演算手段１２４、輝度変化判定手段１２５を含み、１２２はメモリ制御回路２２を介してＴＴＬによって測光された輝度レベルを基に適正露出値を演算し露光制御手段４０を制御する。１２３はメモリ制御回路２２を介して撮像した画像データから輝度レベルを演算し、１２４は１２２によって測光された輝度レベルと１２３によって演算された輝度レベルを比較し適正レベルとなるよう補正値を演算して画像処理回路２０によりデジタルゲイン補正を加える。１２５は、フラッシュリモコンモードにおいて、１２３によって演算される輝度レベルを元に、画面内の少なくとも一部分における、瞬時的な高輝度側への輝度変化（以後高輝度パルス）が起こったかどうかを判定し、高輝度パルスが認められると画面内のどの部分で高輝度パルスが起こったかをシステム制御回路５０に伝達する。
【００１８】
２４は画像表示メモリ、２６はＤ／Ａ変換器、２８はＬＣＤ等から成る画像表示部であり、画像表示メモリ２４に書き込まれた表示用の画像データをＤ／Ａ変換器２６を介して表示する。
【００１９】
画像表示部２８は、システム制御回路５０の指示により任意に表示をＯＮ／ＯＦＦすることが可能である。３０は撮影した静止画像や動画像を格納するためのメモリであり、所定枚数の静止画像や所定時間の動画像を格納するのに十分な記憶量を備えている。そのため、複数枚の静止画像を連続して撮影する連写撮影や動画撮影の場合にも、高速かつ大量の画像書き込みを行うことが可能となる。また、メモリ３０はシステム制御回路５０の作業領域としても使用することが可能である。
【００２０】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。４０はシャッター１２及び絞り１３を制御する露光制御手段であり、フラッシュ４８と連携することによりフラッシュ調光機能も有するものである。
【００２１】
４２は撮影レンズ１０のフォーカシングを制御する測距制御手段、４４は撮影レンズ１０のズーミングを制御するズーム制御手段である。
【００２２】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。５０は画像処理装置１００全体を制御するシステム制御回路、５２はシステム制御回路５０の動作用の定数、変数、プログラム等を記憶するメモリである。
【００２３】
５４はシステム制御回路５０でのプログラムの実行に応じて、文字、画像、音声等を用いて動作状態やメッセージ等を表示する液晶表示装置、スピーカー等の表示部であり、デジタルカメラ１００の操作部近辺の視認し易い位置に単数或いは複数個所設置され、例えばＬＣＤやＬＥＤ、発音素子等の組み合わせにより構成されている。また、表示部５４は、その一部の機能が光学ファインダ１０４内に設置されている。
【００２４】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、日付け・時刻表示、フラッシュリモコンモード表示等がある。またＬＥＤ等の点灯または点滅により表示するものとして、電源ＯＮ、再生モード、撮影モード、合焦、非合焦、ストロボ充電中、メディア書き込み中、セルフタイマー動作中通知及びセルフタイマー動作中の撮影直前通知、フラッシュリモコンモードの撮影制御動作中通知などがある。
【００２５】
５６は電気的に消去・記録可能な不揮発性メモリであり、例えばＥＥＰＲＯＭ等が用いられる。
【００２６】
６０、６２、６４、６６及び７０は、システム制御回路５０の各種の動作指示を入力するための操作手段であり、スイッチやダイアル、タッチパネル、視線検知によるポインティング、音声認識装置等の単数或いは複数の組み合わせで構成される。ここで、これらの操作手段の具体的な説明を行う。
【００２７】
６０はモードダイアルで、Ａｕｔｏモード、プログラムモード、Ａｖ優先モード、Ｔｖ優先モードなどのクリエイティブモードと、ポートレート、夜景、スポーツなどのシーンモードのなかから所望の撮影モードを設定できる。
【００２８】
６２はシャッタースイッチＳＷ１で、不図示のシャッタースイッチの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始指示、及びフラッシュリモコンモードの解除を指示する。６４はシャッタースイッチＳＷ２で、不図示のシャッタースイッチの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００２９】
６６は画像表示ＯＮ／ＯＦＦスイッチで、画像表示部２８のＯＮ／ＯＦＦを設定することができる。この機能により、光学ファインダ１０４を用いて撮影を行う際に、画像表示部への電流供給を遮断することにより省電力を図ることが可能となる。
【００３０】
７０は各種ボタンやタッチパネル等からなる操作部で、メニューボタン、セットボタン、ファンクションボタン、及び、フラッシュ設定ボタン、単写／連写／セルフタイマー切り替えボタン、マクロ／通常／風景切り替えボタン、測光方式切り替えボタンを兼ねた十字ボタンと、再生、静止画撮影、動画切り替えスイッチなどがある。
【００３１】
８０は電源制御手段で、電池検出回路、ＤＣ−ＤＣコンバータ、通電するブロックを切り替えるスイッチ回路等により構成されている。
【００３２】
８２はコネクタ、８６は電池またはＡＣアダプター等からなる電源手段である。
【００３３】
９０はメモリカードやハードディスク等の記録媒体とのインタフェース、９２はメモリカードやハードディスク等の記録媒体と接続を行うコネクタである。記録媒体２００は、半導体メモリや磁気ディスク等から構成される記録部２０２、デジタルカメラ１００等の機器とのインタフェース２０４を備えている。
【００３４】
１１０は通信手段で、ＵＳＢ、無線通信等の通信機能を有する。
【００３５】
１０４は光学ファインダであり、画像表示部２８による電子ファインダ機能を使用すること無しに、光学ファインダのみを用いて撮影を行うことが可能である。
【００３６】
図２は、本発明に係るフローを示す。図２について具体的に説明する。Ｓ２０１は、撮影モードにおけるメニューからのフラッシュリモコンモード選択を示す。Ｓ２０２は、同じくメニューからのタイミング設定を示す。ここで設定するタイミングはＳ２０７で示す高輝度高輝度パルスが発生してから撮影が行われるまでの時間を示す。初期値を持っており、Ｓ２０２は省略可能である。尚、一度設定したタイミングはフラッシュリモコンモードを解除しても有効であり、次回フラッシュリモコンモードを使用するときにもそのタイミング設定が有効となる。Ｓ２０３、Ｓ２０８、Ｓ２１２は、高輝度パルスまたはフラッシュリモコンモード解除待ちのループである。ＳＷ１入力が為されたとき、撮影者がＳＷ１、ＳＷ２のレリーズ釦により撮影すべきシャッターチャンスが訪れたことが考えられ、その後偶発的なフラッシュ映り込みによるフラッシュリモコンの誤動作が起こることを防ぐべく、フラッシュリモコンモードはＳ２０９、Ｓ２１０、Ｓ２１１のフローに従って通常の撮影モードに移行する。再生スイッチ入力が為されたときはフラッシュリモコンモードを継続する必要性がないため、Ｓ２１３、Ｓ２１４のフローに従ってフラッシュリモコンモードは解除される。図中表記されていないが、メニューからもフラッシュリモコンモードは解除可能であり、メニューで解除されると通常の撮影モードの状態となる。
【００３７】
Ｓ２０３において、輝度変化判定手段による高輝度パルスが認識されると撮影制御動作に入り、Ｓ２０４で高輝度パルスのあった位置またはその付近にＡＥ、ＡＦを合わせる。Ｓ２０５において、Ｓ２０２で設定されたタイミングが０ならばすぐにＳ２０６の撮影を行うが、タイミング設定が０でない場合はＳ２０７で設定されたタイミングだけ待機した後、Ｓ２０６の撮影を行う。この間に、高輝度パルスを発する手段（例えば他のカメラのフラッシュ）を操作した人は、前記高輝度パルスを発する手段を撮影画像の画角外に移動することが可能であり、不要なものの写り込みを避けることができる。
【００３８】
続いて、実際の撮影シーンを想定して時間の流れを追いつつ、高輝度パルスの検出方法について具体的に説明する。図３は本発明を用いた撮影シーンのイメージである。左側に三脚に取り付けられているデジタルカメラがあり、このデジタルカメラが本発明の構成となっており、フラッシュリモコンモードの状態にある（以後フラッシュリモコンカメラと称す）。中央にいる二人の人物が主被写体であり、高輝度パルスを発する手段として用いる別のフラッシュ内蔵カメラを持っている。当然このフラッシュ内蔵カメラは本発明の構成である必要はない。図３右側には主被写体の背景となる山がある。図３におけるフラッシュリモコンカメラの画面（構図）を示したイメージ図が図４である。
【００３９】
フラッシュリモコンカメラはトリガとなる高輝度パルスの待機中、繰り返し画像を読み込み、ＡＥのための測光を行っている。前記ＡＥは分割測光方式であり、画面を複数の測光枠に分割し、各測光枠内の輝度と、予め枠ごとに定められた重みから画面全体として適切な露出を演算する方式である。このときの測光枠が例えば図５に示すようなものであったとする。
【００４０】
主被写体の人物が、フラッシュリモコンカメラに撮影動作をさせるべく手元のフラッシュ内蔵カメラのフラッシュを発光（強制フラッシュ撮影など）させたとき、フラッシュリモコンカメラの該当測光枠（図６の斜線部）においてパルス状の輝度変化が観測される。図７は、観測される高輝度パルスを模式的に表したものである。輝度変化判定手段はこの輝度を観測して定常状態よりもあるスレッショルドレベル以上の輝度変化が起こり、短時間の後にもとの定常状態の輝度レベルに戻ったことを高輝度パルス検出の要因としてもよいが、図８に示すように繰り返し測定している輝度の前回測定時との差分を観測しておき、短時間に正方向及び負方向にあるスレッショルドレベル以上の輝度変化が生じたことを高輝度パルス検出の要因としてもよい。通常カメラのフラッシュは１〜３ｍｓｅｃ程度の時間であるのに対し、繰り返し測光が行われる周期は１０〜数１０ｍｓｅｃ程度であるが、輝度変化の検出は十分に可能である。
【００４１】
フラッシュリモコンカメラは高輝度パルスをトリガとして撮影制御動作に移り、高輝度パルスが検出された測光枠付近の被写体にＡＦを合わせ、ＡＥもその周辺の重みを大きくする。この手法に拠れば、図４のような主被写体が端の方にいて中央付近に背景が広がっている構図であっても主被写体を適切に撮影することが可能となる。
【００４２】
タイミング設定機能に拠れば、フラッシュリモコンモード設定時に例えば２秒程度のタイミング設定をしておくことで、主被写体の人物は撮影トリガとして発光させた手元のフラッシュ内蔵カメラを撮影画面から外すことが可能である。高輝度パルス検出したことを示すカメラ前面の発光部の点灯または点滅により、主被写体の人物は高輝度パルスが検出されたことを確認できる。その直後に手元のフラッシュ内蔵カメラを撮影画面から外せば、図９のように余計なものが写りこんでいない写真を撮影できる。
【図面の簡単な説明】
【００４３】
【図１】本発明の実施形態に係るデジタルカメラの概略構成を示したブロック図
【図２】本発明の実施形態に係るフロー
【図３】本発明の実施形態に係る、撮影シーンのイメージ図
【図４】図３におけるフラッシュリモコンカメラの構図イメージ図
【図５】図４における分割測光枠イメージ図
【図６】本発明の実施形態に係る、高輝度パルス検知測光枠イメージ図
【図７】本発明の実施形態に係る高輝度パルス模式図
【図８】本発明の実施形態に係る高輝度パルス検知時の輝度変化模式図
【図９】本発明の実施形態に係る撮影画像のイメージ図
【符号の説明】
【００４４】
１０  撮影レンズ
１２  シャッター
１３  絞り
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  測距制御手段
４４  ズーム制御手段
４８  フラッシュ
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
６６  画像表示ＯＮ／ＯＦＦスイッチ
７０  操作部
８０  電源制御手段
８２  コネクタ
８６  電源手段
９０  インタフェース
９２  コネクタ
１００  デジタルカメラ
１０４  光学ファインダ
１１０  通信手段
１２０  ゲインアンプ
１２１  計時部
１２２  露出演算手段
１２３  輝度レベル演算手段
１２５  輝度変化判定手段
２００  記録媒体
２０２  記録部
２０４  インタフェース
【図１】
2006324757.tif 000003
【図２】
2006324757.tif 000004
【図３】
2006324757.tif 000005
【図４】
2006324757.tif 000006
【図５】
2006324757.tif 000007
【図６】
2006324757.tif 000008
【図７】
2006324757.tif 000009
【図８】
2006324757.tif 000010
【図９】
2006324757.tif 000011